(57)【特許請求の範囲】
【請求項１】
陰茎根元部が動き回らないように保持するための陰茎保持具において、
線状部材を折り曲げた形状の保持具本体１１であって、
人体への装着時に陰茎が通過する枠である陰茎包囲枠部１２と、前記陰茎包囲枠部１２から後方に延在する後方延在部１４と、を有し、
前記陰茎包囲枠部１２は、人体への装着時に、前記後方延在部１４の先端側において陰嚢の近傍に位置する陰嚢近傍部１２１と、前記陰嚢近傍部１２１の先端側において陰茎の近傍に位置する陰茎近傍部１２３と、前記陰茎近傍部１２３の先端側上方に位置して陰茎上方の人体前面に接触する先端鉛直部１２４と、を有して全体として前記線状部材を周回させて枠形状に形成された部分であり、前記陰茎近傍部１２３は、鉛直延在部分であって陰茎の両脇において人体に押し付けられる陰茎両脇押し付け部１２３ａを有する保持具本体１１と、
前記後方延在部１４に一端が固定され、人体への装着時に他端が人体又は人体に装着された部材に固定されることで、前記後方延在部１４を人体の後側から上方に牽引する後方牽引部材１７と、
を備えることを特徴とする陰茎保持具。
【請求項２】
装着時に前記線状部材の人体に接触する部分を覆って設置された筒状の布筒カバー１８であって、前記線状部材に対して軸方向に滑ることで相対的に移動自在である布筒カバー１８をさらに備えることを特徴とする請求項１記載の陰茎保持具。
【請求項３】
前記陰茎包囲枠部１２は、側方から見たときに、前記先端鉛直部１２４が前記陰茎近傍部１２３の前記陰茎両脇押し付け部１２３ａから1〜3cm前方に位置するよう形成されていることを特徴とする請求項１又は２記載の陰茎保持具。
【請求項４】
前記陰茎包囲枠部１２の最先端部に位置する前記先端鉛直部１２４に一端が固定され、人体への装着時に他端が人体又は人体に装着された部材に固定されることで、前記陰茎包囲枠部１２を人体の前方から上方に牽引する前方牽引部材１６をさらに備えることを特徴とする請求項１乃至３何れか１項記載の陰茎保持具。
【発明の詳細な説明】
【技術分野】
【０００１】
本発明は、男性の陰茎を保持するための陰茎保持具に関する。
【背景技術】
【０００２】
パンツ型のオムツの装着時に装着者の陰茎の動きが大きいと、オムツから尿が漏れるといった問題がある。また、下記特許文献１に示すような陰茎に直接被せるタイプの筒形の男性用オムツや、下記特許文献２に示すような陰茎に被せるタイプの受尿器具等を装着しているときに、装着者の陰茎が動くと、オムツや器具が陰茎から外れて尿が漏れてしまうおそれがある。
【０００３】
このため、陰茎の動きをできるだけ少なくするように陰茎を保持する陰茎保持具が提供されており、例えば、下記特許文献３，４に開示された特許文献が知られている。特許文献３に開示された保持具は、陰茎の根元部の保持を目的とするものであり、特許文献４に開示された保持具は、亀頭部を除く陰茎全体の保持を目的としている。
【先行技術文献】
【特許文献】
【０００４】
【特許文献１】特開２００１−１５７６８８号公報
【特許文献２】特許第４２１２００２号公報
【特許文献３】特開第２００３−８８５４１号公報
【特許文献４】特開２０１０−１５４９９４号公報
【発明の概要】
【発明が解決しようとする課題】
【０００５】
しかし、上記特許文献３に開示された陰茎保持具は、陰茎の根元上部を紐で強く押さえ付ける構造であるため、装着者は陰茎の根元を強く縛られた感覚になり、長時間の装着は困難である。また、上記特許文献４に開示された陰茎保持具は、陰茎をオムツに対して固定するためのものであるため、オムツ以外のものを装着する場合には、使用が困難である。
【０００６】
本発明は、このような課題に鑑みてなされたものであり、長時間の装着が可能であり様々な目的で陰茎根元部を安定して保持することのできる陰茎保持具を提供することを目的とする。
【課題を解決するための手段】
【０００７】
上記課題を解決するための本発明に係る陰茎保持具は、陰茎根元部が動き回らないように保持するための陰茎保持具において、線状部材を折り曲げた形状の保持具本体１１であって、人体への装着時に陰茎が通過する枠である陰茎包囲枠部１２と、前記陰茎包囲枠部１２から後方に延在する後方延在部１４と、を有し、前記陰茎包囲枠部１２は、人体への装着時に、前記後方延在部１４の先端側において陰嚢の近傍に位置する陰嚢近傍部１２１と、前記陰嚢近傍部１２１の先端側において陰茎の近傍に位置する陰茎近傍部１２３と、前記陰茎近傍部１２３の先端側上方に位置して陰茎上方の人体前面に接触する先端鉛直部１２４と、を有して全体として前記線状部材を周回させて枠形状に形成された部分であり、前記陰茎近傍部１２３は、鉛直延在部分であって陰茎の両脇において人体に押し付けられる陰茎両脇押し付け部１２３ａを有する保持具本体１１と、前記後方延在部１４に一端が固定され、人体への装着時に他端が人体又は人体に装着された部材に固定されることで、前記後方延在部１４を人体の後側から上方に牽引する後方牽引部材１７と、を備えることを特徴とする。
【発明の効果】
【０００８】
本発明に係る陰茎保持具によれば、陰茎根元部を安定して保持することができると共に、長期間の装着が可能である。
【図面の簡単な説明】
【０００９】
【図１】図１は、本発明の第一実施形態に係る陰茎保持具の斜視図である。
【図２】図２は、本発明の第一実施形態に係る保持具本体の斜視図である。
【図３】図３は、本発明の第一実施形態に係る保持具本体の平面図である。
【図４】図４は、本発明の第一実施形態に係る保持具本体の展開平面図である。
【図５】図５は、本発明の第一実施形態に係る保持具本体の側面図である。
【図６】図６は、本発明の第一実施形態に係る陰茎保持具の布筒カバーを外した状態で人体に装着した状態を示す側面図である。
【図７】図７は、本発明の第二実施形態に係る陰茎保持具の斜視図である。
【図８】図８は、本発明の第二実施形態に係る保持具本体の斜視図である。
【図９】図９は、本発明の第二実施形態に係る保持具本体の平面図である。
【図１０】図１０は、本発明の第二実施形態に係る保持具本体の展開平面図である。
【図１１】図１１は、本発明の第二実施形態に係る保持具本体の側面図である。
【図１２】図１２は、本発明の第二実施形態に係る陰茎保持具の布筒カバーを外した状態で人体に装着した状態を示す側面図である。
【図１３】図１３は、本発明の第三実施形態に係る陰茎保持具の斜視図である。
【図１４】図１４は、本発明の第三実施形態に係る保持具本体の斜視図である。
【図１５】図１５は、本発明の第三実施形態に係る保持具本体の平面図である。
【図１６】図１６は、本発明の第三実施形態に係る保持具本体の展開平面図である。
【図１７】図１７は、本発明の第三実施形態に係る保持具本体の側面図である。
【図１８】図１８は、本発明の第三実施形態に係る陰茎保持具の布筒カバーを外した状態で人体に装着した状態を示す側面図である。
【発明を実施するための形態】
【００１０】
（第一実施形態）
まず、図１〜図６を参照しながら本発明の第一実施形態について詳細に説明する。図１は、第一実施形態に係る陰茎保持具の斜視図である。なお、図１では、前方牽引紐及び後方牽引紐を外した状態を示している。図２は、第一実施形態に係る保持具本体の斜視図である。図３は、第一実施形態に係る保持具本体の平面図である。
【００１１】
図４は、第一実施形態に係る保持具本体の展開平面図である。図５は、第一実施形態に係る保持具本体の側面図である。図６は、第一実施形態に係る陰茎保持具の布筒カバーを外した状態の人体装着図である。
【００１２】
第一実施形態に係る陰茎保持具１０は、保持具本体１１と、保持具本体１１を人体の前方から上方に牽引する前方牽引紐１６と、保持具本体１１を人体の後方から上方に牽引する後方牽引紐１７と、保持具本体１１を構成するワイヤーを覆う布筒カバー１８と、保持具本体１１に固定される、陰茎３を通すため穴が形成された陰茎挿通布幕１９とを備えている。
【００１３】
保持具本体１１は、直径3mmのステンレス製のワイヤー（線状部材）を折り曲げて形成した部材であり、人体１への装着時に、陰茎３の周囲に位置する陰茎包囲枠部１２と、陰茎包囲枠部１２から後方に向けて延在する後方延在部１４とを備えている。
【００１４】
陰茎包囲枠部１２は、ワイヤーを周回させて枠形状に形成された部分であり、装着時に陰嚢４近傍に位置する陰嚢近傍部１２１と、装着時に陰茎３近傍に位置する陰茎近傍部１２３と、陰茎近傍部１２３の先端側上方に位置する先端鉛直部１２４とを備えている。
【００１５】
また、保持具本体１１は、図４の展開図及び図５の側面図に示すように、保持具本体１１のＡ−Ｇ部である陰茎包囲枠部１２と、Ｇ−Ｊ部である後方延在部１４とを備える。また、陰茎包囲枠部１２のＡ−Ｂ部が先端鉛直部１２４、Ｂ−Ｄ部が陰茎近傍部１２３、Ｄ−Ｇ部が陰嚢近傍部１２１である。
【００１６】
陰嚢近傍部１２１は、陰茎包囲枠部１２の後端（図４において左側）に位置する最大幅が5〜6cmの部分である。図４の展開図に示すように、陰嚢近傍部１２１において、保持具本体１１を形成するワイヤーは、棒状の後方延在部１４の先端Ｇから両側に分かれて拡がり、5〜6cmの間隔で平行に延在する。その後、両側で延在するワイヤーは、陰茎近傍部１２３との接続部Ｄにおいて3〜4cmの間隔になるように近づいている。
【００１７】
また、図５の側面図に示すように、陰嚢近傍部１２１において、ワイヤーは、後方延在部１４の延長線上で接続部Ｇから前方に水平に延在（Ｆ−Ｇ部）した後、上方に向けて円弧状に折れ曲がりながら延在（Ｅ−Ｆ部）し、その後、後方に向けて水平に延在（Ｄ−Ｅ部）している。この鉛直に延在する部分（Ｅ−Ｆ部）は、前側に凸の略円弧形状となっている。
【００１８】
このような構成の陰嚢近傍部１２１は、側方から見たときに全体として略Ｊ字形状をし、上記先端鉛直部１２４よりも大きく前方にせり出して膨らんでいるため、人体への装着時には、陰嚢４は陰嚢近傍部１２１を通過して保持具本体１１の前方に飛び出すことなく、保持具本体１１に囲まれながら、フリーで垂れ下がった状態となる（図６参照）。
【００１９】
陰嚢近傍部１２１の先端側に位置する陰茎近傍部１２３は、陰茎包囲枠部１２のうち、装着時に陰茎３の両脇に位置する部分である。図５の側面図に示すように、陰茎近傍部１２３は、陰嚢近傍部１２１の上側水平延在部分（Ｄ−Ｅ部）から、鉛直上方に折れ曲がって延在（Ｃ−Ｄ部）し、続いて先端側に折れ曲がって水平に延在（Ｂ−Ｃ部）している。この鉛直延在部分（Ｃ−Ｄ部）の長さは2cm程度である。なお、陰茎近傍部１２３の水平延在部（Ｂ−Ｃ部）は、陰嚢近傍部１２１の上側水平延在部（Ｄ−Ｅ部）よりも短い。
【００２０】
陰茎近傍部１２３の鉛直延在部分（Ｃ−Ｄ部）は、側方から見たときに、後方に凸の（人体側に向けて凸の）円弧形状をしており、人体への装着時に、陰茎３の両脇において人体に押し付けられる陰茎両脇押し付け部１２３ａである。陰茎近傍部１２３の幅、すなわち両側に延在するワイヤーの間隔は、鉛直延在部（Ｃ−Ｄ部）及び水平延在部（Ｂ−Ｃ部）の双方において、3〜4cmである。
【００２１】
よって、装着時、陰茎の両脇に位置する陰茎近傍部１２３のワイヤーは、陰茎３と接触しないか、若しくは僅かに接触する程度であり、陰茎近傍部１２３が陰茎３を強く拘束することはない。
【００２２】
陰茎近傍部１２３の先端側に位置し、保持具本体１１の最先端部に位置する先端鉛直部１２４は、図４の展開図に示すように、先端に行くに従って徐々に幅が狭くなる略三角形状（Ａ−Ｂ部）をしており、陰茎近傍部１２３との接続部分での3〜4cmの幅が先端では両側のワイヤーがつながって0になる。
【００２３】
なお、先端鉛直部１２４の形状は適宜変更可能であり、後述するように、装着時に人体に複数の線や面で接触することで体内に押し込まれ難いストッパーとして機能することができる形状であれば良い。例えば、最大幅1cm程度の細長いＵ字型形状等であっても良い。
【００２４】
また、側方から見たとき、先端鉛直部１２４は、垂直上方に延在している。そして、陰茎近傍部１２３の水平延在部（Ｂ−Ｃ部）の長さは略2cmであるので、人体から見たとき、先端鉛直部１２４は、陰茎両脇押し付け部１２３ａよりも略2cm離れた位置（略2cm前方の位置）にある。
【００２５】
陰茎両脇押し付け部１２３ａが人体に押し付けられる際、この先端鉛直部１２４が陰茎３の上方で人体の前面（恥骨の辺り）に当たると、陰茎両脇押し付け部１２３ａがそれ以上体内に押し込まれず、先端鉛直部１２４は、陰茎両脇押し付け部１２３ａの体内への押し込み深さを制限するストッパーとして機能する。
【００２６】
なお、先端鉛直部１２４と陰茎両脇押し付け部１２３ａとの前後方向の距離、すなわち、陰茎近傍部１２３の上側水平延在部（Ｂ−Ｃ部）の長さは適宜変更可能である。但し、両者が近すぎると陰茎両脇押し付け部１２３ａの人体への押し付けが弱くなって、陰茎保持機能が低下し、離れすぎると陰茎両脇押し付け部１２３ａが体内に深く入り込んでしまって、装着者が苦痛を感じたりするため、両者の距離は、1〜3cmであるのが望ましい。
【００２７】
後方延在部１４は、側方から見たときに、水平に延在する棒状部材（Ｇ−Ｊ部）である。図５の展開図に示すように、後方延在部１４の中央部分（Ｈ−Ｉ部）には、幅4〜5cmの肛門用枠部１４２が形成されている。人体への装着時には、この肛門用枠部１４２が肛門の真下に位置することになる。
【００２８】
また、後方延在部１４の後端部分（Ｉ−Ｊ部）には、人体への装着時に後方牽引紐１７を引っ掛けるための引掛部１４１が形成されており、これにより後方延在部１４は後方から上方に牽引される。なお、後方延在部１４の形状は適宜変形可能であり、肛門用枠部１４２が無くても良いし、側方から見たときに湾曲しながら水平に延在する形状であっても良い。
【００２９】
前方牽引紐１６は、保持具本体１１の先端側を人体の前方から上方に牽引するための前方牽引部材であり、一端が保持具本体１１の先端鉛直部１２４の先端に固定され、他端が人体に腰ベルトとして巻き付けられた後方牽引紐１７に接続固定される。
【００３０】
後方牽引紐１７は、保持具本体１１の後端側を人体の後方から上方に牽引するための後方牽引部材であり、一端が保持具本体１１の後方延在部１４後端の引掛部１４１に引っ掛けて固定され、他端が人体に直接巻き付けられて装着固定される。
【００３１】
布筒カバー１８は、保持具本体１１のワイヤーを覆う筒状の布部材である。人体への装着時にステンレス製のワイヤーが直接人体に触れると、滑りが悪くなる等して、装着者が痛みを感じたり、装着が良好に行えないおそれがあるが、ワイヤーを布で覆うことで、ワイヤーに対して布が滑りやすいので、保持具本体１１と人体とが適度に滑りながら接触し、良好な装着が可能となる。
【００３２】
布筒カバー１８のサイズは、布筒カバー１８が保持具本体１１のワイヤーに対して自在に軸方向に滑ることができるように、その内径がワイヤーの外径よりも大きいのが望ましい。本実施形態では、ワイヤーの外径が3mmであるのに対して、布筒カバー１８の内径は7mmと2倍程度である。
【００３３】
さらに、布筒カバー１８の長さが、設置される部分のワイヤーの長さよりも長くするのが望ましい。例えば、長さが10cmのワイヤーの部分に15cmの布筒カバー１８を設置すると、布筒カバー１８は軸方向に3分の2の長さに縮めた状態で設置されることになり、ワイヤーに対してより移動自在になる。望ましくは、設置されるワイヤー部分の長さよりも1.2〜2倍程度の長さの布筒カバーを設置するのが望ましい。
【００３４】
本実施形態では、布筒カバー１８に合皮素材を使用しているが、適宜他の素材を使用することができる。なお、本実施形態では、保持具本体１１を構成するワイヤーの全体を布筒カバー１８で覆っているが、ワイヤーの一部を覆うだけでも良い。但し、少なくとも人体と接触する可能性のあるワイヤー部分を覆って設置するのが望ましい。
【００３５】
陰茎挿通布幕１９は、保持具本体１１の陰茎近傍部１２３の包囲領域を塞ぐように設置される布製の幕であり、その中央付近には装着時に陰茎３を通すための円形の挿通穴１９１が形成されている。陰茎挿通布幕１９は、略4cm×4cmの正方形状であり、挿通穴１９１の大きさは直径2cm程度である。本実施形態では、陰茎挿通布幕１９の素材として伸縮率が2倍程度の水着用の素材を使用しているが、適宜他の素材を使用することができる。
【００３６】
装着時に、陰茎３を挿通穴１９１に通した状態で装着することで、陰茎３の包皮を根元側に引っ張って延ばすことができ、陰茎挿通布幕１９の外側（前側）にはたるみの無い状態の陰茎が突出することになるため、装着時に陰茎３の包皮がワイヤーと絡むことを防止し、安定した装着を行うことができる。
【００３７】
以上、陰茎保持具１０の構成について説明したが、続いて、陰茎保持具１０を人体に装着する手順について説明する。図６に示すように、陰茎保持具１０を装着する際には、まず装着者の腰に腰ベルトとしての後方牽引紐１７を巻き付け、陰茎挿通布幕１９の挿通穴１９１に陰茎３を挿入させた状態で、股間の下に保持具本体１１を配置する。このとき、陰茎包囲枠部１２の先端が前方に、後方延在部１４の後端が後方に位置するように配置する。
【００３８】
この状態で、保持具本体１１の先端である先端鉛直部１２４の先端（上端）に一端が結び付けられている前方牽引紐１６の他端を前方から後方牽引紐１７の前側部分に固定し、保持具本体１１の先端を前方から上方に向けて牽引する。次に、腰に装着されている後方牽引紐１７の他端を後方から後方延在部１４の引掛部１４１に引っ掛け、保持具本体１１の後端を後方から上方に向けて牽引する。
【００３９】
このようにして装着した状態では、陰茎挿通布幕１９が設置されている陰茎近傍部１２３の陰茎両脇押し付け部１２３ａのワイヤーが陰茎３の根元の両脇に位置し、人体内に押し込まれるように押し付けられている。このように、陰茎３の両脇でワイヤーが人体内に押し込まれることで、陰茎３の体内の根元部分が両側からしっかりと固定され、陰茎３を動きにくいように保持することができる。
【００４０】
このとき、ワイヤーは直接陰茎３に接触していないか、軽く触れている程度であるため、装着者が痛みを感じることもなく、長時間の着用が可能である。また、陰茎３の両サイドと下側の部分の皮膚は、伸縮性の高い陰嚢４の皮膚とつながっており、陰茎３の両脇に陰茎両脇押し付け部１２３ａが押し込まれても陰嚢の皮膚が引き寄せられるため、皮膚が無理に引っ張れられることによる痛みも発生しない。
【００４１】
また、装着状態では、保持具本体１１の先端鉛直部１２４が、陰茎３の上方の恥骨の辺りで人体１に対して押し付けられている。上述したように、先端鉛直部１２４は、略三角形状をしており、人体１の内部に押し込まれ難いため、保持具本体１１の陰茎両脇押し付け部１２３ａが人体１内へ押し込まれ過ぎないためのストッパーとして機能する。
【００４２】
また、装着状態では、保持具本体１１がしっかりと人体１に装着されるため、各種陰茎装着用品の安定した固定場所として、保持具本体１１の一部を用いることができる。例えば、上記特許文献１に開示されている陰茎を挿入する形式の男性用オムツの一部を先端鉛直部１２４に引っ掛けることで、男性用オムツを安定して固定することができる。
【００４３】
上述した陰茎近傍部１２３は、陰茎３の両脇に位置する細いワイヤーであるため、人体１の中に押し込まれ易いが、ワイヤーが人体１内に深く押し込まれると、装着者が痛みを感じ、特に、長時間陰茎保持具１０を装着していると、耐え難い痛みとなる場合もある。本実施形態では、保持具本体１１の陰茎両脇押し付け部１２３ａよりも人体から離れる位置に、人体１内へ押し込まれ難いストッパーを設置しておくことで、装着者の不快感を大きく低減させることができる。
【００４４】
また、装着状態では、陰嚢４の両脇には、陰嚢近傍部１２１の上側水平延在部（Ｄ−Ｅ部）及び下側水平延在部（Ｆ−Ｇ）が位置しており、陰嚢４は両側に拡がらないように規制されながら、フリーで垂れ下がった状態となっている。
【００４５】
本実施形態では、陰嚢近傍部１２１が、先端鉛直部１２４よりも前方に飛び出すように大きく膨らんでおり、陰嚢４を押さえ付けて拘束しないため、睾丸５は比較的自由に動けるようになっている。なお、装着時には、陰嚢４が保持具本体１１のワイヤーにより囲まれた状態となるため、陰茎保持具１０により睾丸５を保護することもできる。
【００４６】
また、装着状態では、後方延在部１４の肛門用枠部１４２が肛門の下に位置しており、装着者が排泄したとしても排泄物が後方延在部１４にぶつかることなく肛門用枠部１４２を通過するため、装着者は、陰茎保持具１０を装着したままで排泄を行うことが可能である。
【００４７】
（第二実施形態）
続いて、本発明の第二実施形態について詳細に説明する。第二実施形態に係る陰茎保持具２０は、上記第一実施形態に係る陰茎保持具１０と比較して、陰茎包囲枠部２２及び後方延在部２４の構成が異なる以外は同様の構成であるため、同様の構成については説明を省略し、異なる構成について詳細に説明する。
【００４８】
図７は、第二実施形態に係る陰茎保持具の斜視図である。なお、図７では、前方牽引紐及び後方牽引紐を外した状態を示している。図８は、第二実施形態に係る保持具本体の斜視図である。図９は、第二実施形態に係る保持具本体の平面図である。
【００４９】
図１０は、第二実施形態に係る保持具本体の展開平面図である。図１１は、第二実施形態に係る保持具本体の側面図である。図１２は、第二実施形態に係る陰茎保持具の布筒カバーを外した状態の人体装着図である。
【００５０】
第二実施形態に係る陰茎保持具２０は、保持具本体２１と、保持具本体２１を人体の前方から上方に牽引する前方牽引紐２６と、保持具本体２１を人体の後方から上方に牽引する後方牽引紐２７と、保持具本体２１を構成するワイヤーを覆う布筒カバー２８と、保持具本体２１に固定される、陰茎３を通すための穴が形成された陰茎挿通布幕２９とを備えている。
【００５１】
図１０の展開図及び図１１の側面図に示すように、保持具本体２１は、保持具本体２１のＡ−Ｇ部である陰茎包囲枠部２２と、Ｇ−Ｊ部である後方延在部２４とを備えている。陰茎包囲枠部２２のＡ−Ｂ部が先端鉛直部２２４、Ｂ−Ｄ部が陰茎近傍部２２３、Ｄ−Ｇ部が陰嚢近傍部２２１である。
【００５２】
陰嚢近傍部２２１において、ワイヤーは、後方延在部２４の延長線上で接続部Ｇから前方斜め下方に延在（Ｆ−Ｇ部）した後、略円弧形状に折返し（Ｅ−Ｆ部）、その後、後方斜め上方に延在（Ｄ−Ｅ部）している。
【００５３】
陰茎近傍部２２３において、ワイヤーは、陰嚢近傍部２２１の後方斜め上方延在部（Ｄ−Ｅ部）から鉛直上方に折れ曲がって延在（Ｃ−Ｄ部）し、続いて先端側に折れ曲がって水平に延在（Ｂ−Ｃ部）している。この陰茎近傍部２２３の鉛直延在部分（Ｃ−Ｄ部）は、側方から見たときに、後方に凸の円弧形状をしており、人体への装着時には、陰茎３の両脇において人体に押し付けられる陰茎両脇押し付け部２２３ａとなる。
【００５４】
ここで、陰茎包囲枠部２２の幅は、Ｄ−Ｇ部の陰嚢近傍部２２１において最大幅が5〜6cmであり、Ｂ−Ｄ部の陰茎近傍部２２３において、最大幅が3〜4cmであり、Ａ−Ｂ部の先端鉛直部２２４においても最大幅が3〜4cm程度である。
【００５５】
陰茎保持具２０の陰嚢近傍部２２１の前方への膨らみは、第一実施形態よりも小さく、側方から見た場合、陰嚢近傍部２２１の最も前方に膨らんだ部分が先端鉛直部２２４と略同じ位置となっている。
【００５６】
このように、第二実施形態に係る陰茎保持具２０は、陰嚢近傍部２２１の膨らみが小さく、また陰嚢近傍部２２１の幅（両ワイヤーの間隔）は5〜6cmと広い。このため、図１２に示すように、陰茎保持具２０を人体に装着した際には、睾丸５と共に陰嚢４の一部が陰嚢近傍部２２１の間を通過して、保持具本体２１の前方に突出した状態となる。
【００５７】
また、第二実施形態においては、後方延在部２４は、第一実施形態のような肛門用枠部を備えておらず、ワイヤーが二本隣接して直線状に延在する棒状部材である。後方延在部２４の後端部分には、人体への装着時に後方牽引紐２７を引っ掛けるための引掛部２４１が形成されている。
【００５８】
このような構成の陰茎保持具２０は、第一実施形態と同様の作用効果を奏するが、装着時には、陰茎３と共に睾丸５も陰茎包囲枠部２２を通過して前方に突出すため、陰嚢４の両側面が陰嚢近傍部２２１の両側で延在するワイヤーによって拘束されることになる。よって、睾丸５をある程度拘束したい装着者には、第二実施形態に係る陰茎保持具２０が適している。
【００５９】
（第三実施形態）
続いて、本発明の第三実施形態について詳細に説明する。第三実施形態に係る陰茎保持具３０は、上記第二実施形態に係る陰茎保持具２０と比較して、陰茎包囲枠部３２及び陰茎挿通布幕３９の構成が異なる以外は同様の構成であるため、同様の構成については説明を省略し、異なる構成について詳細に説明する。
【００６０】
図１３は、第三実施形態に係る陰茎保持具の斜視図である。なお、図１３では、前方牽引紐及び後方牽引紐を外した状態を示している。図１４は、第三実施形態に係る保持具本体の斜視図である。図１５は、第三実施形態に係る保持具本体の平面図である。
【００６１】
図１６は、第三実施形態に係る保持具本体の展開平面図である。図１７は、第三実施形態に係る保持具本体の側面図である。図１８は、第三実施形態に係る陰茎保持具の布筒カバーを外した状態の人体装着図である。
【００６２】
第三実施形態に係る陰茎保持具３０は、保持具本体３１と、保持具本体３１を人体の前方から上方に牽引する前方牽引紐３６と、保持具本体３１を人体の後方から上方に牽引する後方牽引紐３７と、保持具本体３１を構成するワイヤーを覆う布筒カバー３８と、保持具本体３１に固定される、陰茎３を通すための穴が形成された陰茎挿通布幕３９とを備えている。
【００６３】
図１６の展開図及び図１７の側面図に示すように、保持具本体３１は、保持具本体３１のＡ−Ｇ部である陰茎包囲枠部３２と、Ｇ−Ｊ部である後方延在部３４とを備えている。陰茎包囲枠部３２のＡ−Ｂ部が先端鉛直部３２４、Ｂ−Ｄ部が陰茎近傍部３２３、Ｄ−Ｇ部が陰嚢近傍部３２１である。
【００６４】
陰嚢近傍部３２１において、保持具本体３１を形成するワイヤーは、後方延在部３４との接続部Ｇから鉛直上方に折れ曲がって延在（Ｄ−Ｇ部）している。
【００６５】
陰茎近傍部３２３において、ワイヤーは、Ｄ−Ｇ部の延長線上で陰茎近傍部３２３の鉛直延在部分（Ｃ−Ｄ部）を形成した後、前方側に折れ曲がって水平に延在し、陰茎近傍部３２３の水平延在部（Ｂ−Ｃ部）を形成する。この陰茎近傍部３２３の鉛直延在部分（Ｃ−Ｄ部）が、人体への装着時に、陰茎３の両脇において人体に押し付けられる陰茎両脇押し付け部３２３ａである。
【００６６】
ここで、陰茎包囲枠部３２の幅は、Ｄ−Ｇ部の陰嚢近傍部３２１及びＢ−Ｄ部の陰茎近傍部３２３において最大幅が3〜4cmであり、Ａ−Ｂ部の先端鉛直部３２４においても陰茎近傍部３２３との接続部Ｂにおいて最大幅が3〜4cmとなる。
【００６７】
このように、第三実施形態では、陰嚢近傍部３２１が前方に膨らんでおらず、陰茎近傍部３２３の真下に位置すると共に、陰嚢近傍部３２１の幅が3〜4cm程度と第一実施形態及び第二実施形態と比べて狭くなっている。
【００６８】
また、本実施形態において、陰茎挿通布幕３９は、陰茎両脇押し付け部３２３ａの部分（Ｃ−Ｄ部）だけでなく、陰嚢近傍部３２１の鉛直延在部分（Ｄ−Ｇ部）に渡ってワイヤーで囲まれた部分を塞ぐように設置されている。なお、挿通穴３９１は陰茎両脇押し付け部３２３ａの部分に形成されている。
【００６９】
このため、図１８に示すように、陰茎保持具３０を人体に装着した際には、睾丸５が陰嚢近傍部３２１の間を通過することなく、陰茎挿通布幕３９及び陰嚢近傍部３２１によって陰嚢４が人体側に強く押し付けられ、睾丸５は陰嚢近傍部３２１の両側に押し出された状態で固定された状態となる。
【００７０】
このような構成の陰茎保持具３０は、第一実施形態と同様の作用効果を奏するが、陰嚢４及び睾丸５を強く固定することができるため、睾丸５も安定して固定したい用途に適している。
【００７１】
以上、本発明の第一〜第三実施形態について説明したが、本発明の実施の形態は上記実施形態に限定されるものではなく、本発明の主旨を逸脱しない範囲内で種々の変形が可能である。例えば、陰茎保持具のサイズは適宜変更可能であり、装着者の体型等に合わせて適宜変更すれば良い。
【００７２】
また、上記実施形態では、保持具本体の後方牽引部材を直接人体に装着し、前方牽引部材を人体に装着された後方牽引部材に固定することで、保持具本体を人体に対して装着しているが、前方牽引部材を直接人体に巻き付けて装着し、後方牽引部材をこの前方牽引部材に固定するようにしても良いし、前方牽引部材及び後方牽引部材の双方を直接人体に装着しても良いし、前方牽引部材及び後方牽引部材の双方を人体に装着された他の部材に固定するようにしても良い。
【００７３】
また、上記実施形態では、保持具本体を形成するワイヤー（線状部材）の素材をステンレスとしたが、アルミ等の他の金属を用いても良いし、合成樹脂製のワイヤー（線状部材）を採用しても良い。合成樹脂製の線状部材の場合には、直線状の線状部材を後から折り曲げて製造するのではなく、熱可塑性樹脂から射出成形により線状部材が折り曲げられた形状の保持具本体を直接製造すれば良い。
【００７４】
また、ワイヤーの素材として、装着時の紐による牽引では、しなう程度以上の大きな形状変化はしない強度を有するが、それ以上の強い力を加えれば変形も可能な素材を採用し、保持具本体を装着者の体型に合わせて形状変更することが可能な構成としても良い。
【００７５】
また、上記実施形態では、前方牽引部材と後方牽引部材の双方を備え、保持具本体を前方及び後方の双方から上方に牽引しているが、後方牽引部材だけを設置し、後方のみから保持具本体を上方に牽引するように構成しても良い。この場合でも、保持具本体をある程度しっかりと固定し、陰茎を安定して保持することができる。なお、前方牽引部材及び後方牽引部材は伸縮性のある素材である方が長時間安定的に保持しやすい。
【符号の説明】
【００７６】
１                            人体
３                            陰茎
４                            陰嚢
５                            睾丸
１０，２０，３０              陰茎保持具
１１，２１，３１              保持具本体
１２，２２，３２              陰茎包囲枠部
１２１，２２１，３２１        陰嚢近傍部
１２３，２２３，３２３        陰茎近傍部
１２３ａ，２２３ａ，３２３ａ  陰茎両脇押し付け部
１２４，２２４，３２４        先端鉛直部
１４，２４，３４              後方延在部
１４１，２４１，３４１        引掛部
１６，２６，３６              前方牽引紐
１７，２７，３７              後方牽引紐
１８，２８，３８              布筒カバー
１９，２９，３９              陰茎挿通布幕
【要約】
【課題】長時間の装着が可能であり様々な目的で陰茎を安定して保持することのできる陰茎保持具を提供する。
【解決手段】陰茎保持具１０は、線状部材を折り曲げた形状の保持具本体１１であって、人体への装着時に陰茎が通過する枠である陰茎包囲枠部１２と、陰茎包囲枠部１２から後方に延在する後方延在部１４と、を有し、陰茎包囲枠部１２は、人体への装着時に、陰嚢の近傍に位置する陰嚢近傍部１２１と、陰茎の近傍に位置する陰茎近傍部１２３と、陰茎上方の人体前面に接触する先端鉛直部１２４と、を有し、陰茎近傍部１２３は、陰茎の両脇において人体前面に押し付けられる陰茎両脇押し付け部１２３ａを有する保持具本体１１と、後方延在部１４を人体の後側から上方に牽引する後方牽引部材１７と、を備える。
【選択図】図１【図１】
0005547309.tif 000002
【図２】
0005547309.tif 000003
【図３】
0005547309.tif 000004
【図４】
0005547309.tif 000005
【図５】
0005547309.tif 000006
【図６】
0005547309.tif 000007
【図７】
0005547309.tif 000008
【図８】
0005547309.tif 000009
【図９】
0005547309.tif 000010
【図１０】
0005547309.tif 000011
【図１１】
0005547309.tif 000012
【図１２】
0005547309.tif 000013
【図１３】
0005547309.tif 000014
【図１４】
0005547309.tif 000015
【図１５】
0005547309.tif 000016
【図１６】
0005547309.tif 000017
【図１７】
0005547309.tif 000018
【図１８】
0005547309.tif 000019